(57)【要約】  少なくとも１つのアクセスネットワークを介して、モバイル通信システムのＩＭＳを基礎とするサービス通信システムに、少なくとも１つの通信サービスのために第１のアクセスネットワークを介してＩＭＳを基礎とするサービス通信システムの少なくとも１つのサービス制御ユニットに登録されているマルチモード通信端末装置を多重登録する方法が提供される。少なくとも１つの第２のアクセスネットワークを介するマルチモード通信端末装置の登録のために、アクセスネットワーク識別子を有する登録メッセージが形成され、ＩＭＳを基礎とするサービス通信システムの少なくとも１つのサービス制御ユニットに伝送され、この少なくとも１つのサービス制御ユニットにおいてアクセスネットワーク識別子が評価され、この評価に依存してＩＭＳを基礎とするサービス通信システムにおけるマルチモード通信端末装置の別の登録が実施される。
2009540641.tif 000002
【特許請求の範囲】
【請求項１】
少なくとも１つのアクセスネットワーク（ＧＰＲＳ，ＷＬＡＮ）を介して、モバイル通信システムおよび／または集中通信システム（ＫＳ）の「インターネットプロトコルマルチメディアサブシステム」、すなわちＩＭＳを基礎とするサービス通信システム（ＩＭＳ）に、少なくとも１つの通信サービスのために第１のアクセスネットワーク（ＷＬＡＮ）を介して前記ＩＭＳを基礎とするサービス通信システム（ＩＭＳ）の少なくとも１つのサービス制御ユニット（Ｓ−ＣＳＣＦ）に登録されているマルチモード通信端末装置（ＭＫＥ）を多重登録する方法において、
少なくとも１つの第２のアクセスネットワーク（ＧＰＲＳ）を介する前記マルチモード通信端末装置（ＭＫＥ）の登録のために、アクセスネットワーク識別子（ＺＫ）を有する登録メッセージ（ＲＥＧＩＳＴＥＲ）を形成し、該登録メッセージ（ＲＥＧＩＳＴＥＲ）を前記ＩＭＳを基礎とするサービス通信システム（ＩＭＳ）の少なくとも１つのサービス制御ユニット（Ｓ−ＣＳＣＦ）に伝送し、該少なくとも１つのサービス制御ユニット（Ｓ−ＣＳＣＦ）において前記アクセスネットワーク識別子（ＺＫ）を評価し、該評価に依存して前記ＩＭＳを基礎とするサービス通信システム（ＩＭＳ）における前記マルチモード通信端末装置（ＭＫＥ）の別の登録を実施することを特徴とする、マルチモード通信端末装置を多重登録する方法。
【請求項２】
前記登録メッセージ（ＲＥＧＩＳＴＥＲ）を「セッション開始プロトコル」（ＳＩＰ）シグナリングプロトコルを介して伝送する、請求項１記載の方法。
【請求項３】
アクセスネットワーク識別子（ＺＫ）として、前記第２のアクセスネットワーク（ＧＰＲＳ）のそれぞれのアクセス技術を表す技術指向のアクセスネットワーク識別子（ＺＫ*，ＺＫ**）を伝送する、請求項１または２記載の方法。
【請求項４】
前記アクセスネットワーク識別子（ＺＫ）を、それぞれのマルチモード通信端末装置（ＭＫＥ）に割り当てられたＩＰアドレス（ＩＰ１，ＩＰ２）によって形成する、請求項１から３までのいずれか１項記載の方法。
【請求項５】
前記ネットワークアクセス識別子（ＺＫ）を、前記マルチモード通信端末装置（ＭＫＥ）またはＳＩＰシグナリングプロトコル（ＳＩＰ）をサポートするネットワークノード、例えば「プロキシ呼セッション制御機能」ユニット（Ｐ−ＣＳＣＦ）によって前記登録メッセージ（ＲＥＧＩＳＴＥＲ）に挿入する、請求項１から４までのいずれか１項記載の方法。
【請求項６】
アクセスネットワーク識別子（ＺＫ）が存在する場合、または異なるアクセス技術を表す技術指向のアクセスネットワーク識別子（ＺＫ*，ＺＫ**）が存在する場合、前記ＩＭＳを基礎とするサービス通信システム（ＩＭＳ）において前記マルチモード通信端末装置（ＭＫＥ）の別の登録を行う、請求項１から５までのいずれか１項記載の方法。
【請求項７】
通信サービスに関して前記マルチモード通信端末装置（ＭＫＥ）の別の登録を行う際に、第１のＩＰアドレス（ＩＰ１）に付加的に前記第２のアクセスネットワーク（ＧＰＲＳ）のＩＰアドレス（ＩＰ２）も前記サービス制御ユニット（Ｓ−ＣＳＣＦ）に記憶する、請求項６記載の方法。
【請求項８】
アクセスネットワーク識別子（ＺＫ）が存在しない場合、または同一のアクセス技術に関する技術指向のアクセスネットワーク識別子（ＺＫ*，ＺＫ**）が存在する場合、前記マルチモード通信端末装置（ＭＫＥ）に関する既存の全ての登録を消去する、請求項１から７までのいずれか１項記載の方法。
【請求項９】
前記マルチモード通信端末装置（ＭＫＥ）に既に割り当てられているＩＰアドレス（ＩＰ１，ＩＰ２）に依存して、前記別の登録のために設けられているアクセス技術を前記サービス制御ユニット（Ｓ−ＣＳＣＦ）によって求め、殊に割り当てられているＩＰアドレスの個々のアドレス構成要素を評価することにより求める、請求項１から８までのいずれか１項記載の方法。
【請求項１０】
評価の枠内において、前記サービス制御ユニット（Ｓ−ＣＳＣＦ）によって、どのアクセス技術またはどのアクセスネットワーク（ＷＬＡＮ、ＧＰＲＳ）に関して前記マルチモード通信端末装置（ＭＫＥ）の登録が既に存在するかを検査する、請求項１から９までのいずれか１項記載の方法。
【発明の詳細な説明】
【技術分野】
【０００１】
本発明は、少なくとも１つのアクセスネットワークを介して、モバイル通信システムおよび／または集中（convergent）通信システムのＩＭＳを基礎とするサービス通信システムに、少なくとも１つの通信サービスのために第１のアクセスネットワークを介してＩＭＳを基礎とするサービス通信システムの少なくとも１つのサービス制御ユニットに登録されているマルチモード通信端末装置を多重登録する方法に関する。
【０００２】
既存の第２世代の移動無線システム、いわゆるＧＳＭ（Global System for Mobile Communications）においては、例えばＧＰＲＳ（汎用パケット無線サービス；General Paket Radio Services）のような通信サービスが既に提供されており、これらの通信サービスはパケット指向のデータ伝送によって行われる。これによって、所属の移動無線システムにおいて提供される伝送リソースをより良く利用することができる。
【０００３】
殊に、第３世代の移動無線システム、すなわち「ＵＭＴＳ（Universal Mobile Telecommunication System）」伝送技術を基礎とするモバイル無線システムに関しては、既存のＧＰＲＳアーキテクチャを拡張するため、また付加的なマルチメディア通信サービスを提供するために特別な通信システムまたはサービス通信システム、例えば「インターネットプロトコルマルチメディアサブシステム」（ＩＭＳ；Internet Protocol Multimedia Subsystem）が設けられている。
【０００４】
またモバイル通信端末装置はますますマルチモード式に構成されている。すなわちモバイル通信端末装置は種々のモバイル伝送技術またはアクセス技術をサポートするよう構成されている。例えば、ＵＭＴＳまたはＧＭＳを基礎とする移動無線システムの他に補完的なアクセスネットワークとして「ワイヤレスローカルエリアネットワーク」（ＷＬＡＮ；Wireless Local Area Network）を設けることができる。インターネットプロトコル（ＩＰ）を基礎とする通信システムはこの種のモバイルアクセスネットワークとは異なり、ネットワークプロバイダのＩＰを基礎とする通信サービスを利用する。通常の場合、この種のＩＰを基礎とする通信システムは存在するそれぞれのモバイル伝送技術に調整されている。例えば、ＧＭＳおよびＵＭＴＳの伝送技術を基礎とする移動無線システムはＧＰＲＳ伝送技術を基礎とする共通のアクセスネットワークを有し、これに対しＷＬＡＮ通信ネットワークに関しては別個の独立したアクセスネットワークが必要とされる。モバイル通信端末装置がデータ伝送に使用するモバイル伝送技術またはアクセス技術を例えばＷＬＡＮからＧＳＭ／ＵＭＴＳに切り換えると、この切り換えにより所属のＩＰを基礎とする通信システムの切り換えもさらに必要となる。
【０００５】
この種のアクセスネットワークを介して、ＩＭＳを基礎とする通信システムと接続されているサービスユーザには通信サービスまたはマルチメディアサービスが提供される。ここで通信サービスまたはマルチメディアサービスの例としては音声サービス、データサービス、オーディオサービス、ビデオサービス、情報サービスおよびプログラム通信サービスが挙げられる。
【０００６】
この種のＩＭＳを基礎とする通信システムには、通信コネクションを確立するための「セッション開始プロトコル」（ＳＩＰ；Session Initiation Protocol）シグナリングプロトコルが設けられている。従来のＥメールアドレスと同様に構成されている、長期間安定した識別子、いわゆるＳＩＰ「単一リソース識別子」ＵＲＩ；Uniform Resource Identifyer）を介して、通信加入者の識別がＩＭＳを基礎とする通信システムにおいて行われる。
【０００７】
３ＧＰＰにより規格化されたＩＭＳを基礎とする通信システムまたはサービス通信システムはアクセスネットワークに依存せずに使用することができる。つまり、第２世代および第３世代の移動無線システムのＧＰＲＳ技術の他にＷＬＡＮ、ＷｉＭＡＸ（「Worldwide Interoperability for Microwave Access」）およびＤＳＬ（「Digital Subscriber Line」）にも使用することができる。アクセスネットワークにアクセスするために必要とされるＩＰアドレスは通常の場合、アクセスネットワークによってマルチモード通信端末装置に設定され、それと共にこのアクセスネットワークと関連付けられる。「アクセスネットワーク」の概念は広く包括的なものであり、ゲートウェイネットワークノードも含まれ、例えばＷＬＡＮアクセスネットワークの場合には３ＧＰＰ  ＴＳ  ２３．３２４標準において規定されている「パケットデータゲートウェイ」（ＰＤＧＷ；Packet Data Gateway）も含まれる。
【０００８】
ＩＭＳを基礎とする通信システムにおいて設けられているＳＩＰシグナリングプロトコル（IETF RFC 3261）は各モバイル通信端末装置のＩＭＳを基礎とする通信システムへの登録を要求する（3GPP TS 23.228/24.229）。ＳＩＰシグナリングプロトコルを実施するために別個のサーバユニットが設けられており、このサーバユニットはコネクション制御機能およびサービス制御機能、いわゆる「呼状態制御機能」（ＣＳＣＦ；Call State Control Functions）を提供する。
【０００９】
この種のＩＭＳを基礎とする通信システムは例えば「サービス呼セッション制御機能」（Ｓ−ＣＳＣＦ；Serving Call Session Control Function）ユニット、「問合せ呼セッション制御機能」（Ｉ−ＣＳＣＦ；Interrogation Call Session Control Function）ユニットならびに「プロキシ呼セッション制御機能」（Ｐ−ＣＳＣＦ；Proxy Call Session Control Function）ユニットを含み、これらのユニットは種々のシグナリングタスクを担う。例えば、Ｓ−ＣＳＣＦユニットはＩＭＳを基礎とする通信システムにおけるモバイル通信端末装置の登録に関する権限を有し、この登録はＲＦＣ３２６１にしたがい、ＳＩＰレベルのアドレス情報（ＳＩＰ−ＵＲＩ）をＩＰレベルのアドレス情報（ＩＰアドレス）と関連付け、到来するＳＩＰセッションをＳＩＰ−ＵＲＩにより正確なＩＰアドレスに適切に転送するために使用される。ＩＭＳアーキテクチャにおいては登録に認証も伴い、したがってこの認証はＳＩＰセッションを開始するための前提でもある。
【００１０】
殊に、３ＧＰＰ  ＴＳ  ＴＳ  ２４．２２９、５．４．１．２．１章によれば、同一のＳＩＰ−ＵＲＩ（ＩＭＳにおいては「パブリックユーザ識別子；Public User Identity」）および同一のユーザ名（ＩＭＳにおいては「プライベートユーザ識別子；Private User Identity」）でのモバイル通信端末装置の新たな登録が既存の登録に置換される。これによって、無線コネクションの障害に起因してモバイル通信端末装置に新たなＩＰアドレスが割り当てられる際に古いＩＰアドレスが一時的に無効になることが保証される。これによってアドレス衝突を効果的に回避することができる。
【００１１】
モバイル通信端末装置のユーザがアクセスネットワークの切り替えを行うと、マルチモードのモバイル通信端末装置が少なくとも短時間、ＩＭＳを基礎とする通信システムにおける複数のアクセスネットワークに関して登録されることが必要となる。ユーザフレンドリな切り替えを保証するためには、少なくとも所定の伝送期間にわたり少なくとも２つのアクセスネットワークを同時に利用できることが望ましい。
【００１２】
確かに、３ＧＰＰ仕様を意図的に回避して、第１の登録を消去することなくＳ−ＣＳＣＦユニットを介して第２の登録を実施することによって、マルチモードモバイル通信端末装置の並行した登録を強制的に行うことも考えられる。しかしながらこれによって不所望な障害作用が生じる可能性があり、例えばＩＭＳを基礎とする通信システムにおいては無効になったＩＰアドレスへの通信コネクションが誤ってさらに継続される可能性がある。
【００１３】
さらにはネットワークを包括する「パブリックユーザ識別子」（ＳＩＰ−ＵＲＩ）の使用が考えられるが、種々の「プライベートユーザ識別子」も一緒に用いられる。この種の方法は本来、物理的に相互に隔てられている通信端末装置を介するアクセスのために開発されたものである。しかしながら、モバイル通信端末装置内に存在するスマートカード（ＩＳＩＭないしＩＭＳ−「ＳＩＭカード」）が複数の異なる「プライベートユーザ識別子」に割り当てられており、これらの識別子がモバイル通信端末装置の操作の快適性を著しく低減することは不利である。
【００１４】
本発明の課題は、ＩＭＳを基礎とするサービス通信システムにおいて少なくとも１つのマルチモード通信端末装置を多重登録するための技術的に簡単でユーザフレンドリな方法を提供することである。この課題は、請求項１の上位概念に記載の方法から出発して請求項１の特徴部分に記載されている方法により解決される。
【００１５】
本発明による方法の重要な態様は、少なくとも１つの第２のアクセスネットワークを介してマルチモード通信端末装置を登録するために、アクセスネットワーク識別子を有する登録メッセージが形成され、ＩＭＳを基礎とするサービス通信システムの少なくとも１つのサービス制御ユニットに伝送される。続いて、アクセスネットワーク識別子が少なくとも１つのサービス制御ユニットにおいて評価され、評価結果に依存してマルチモード通信端末装置の別の登録がＩＭＳを基礎とするサービス通信システムにおいて実施される。これによって、ＳＩＰシグナリングプロトコルにしたがい実現されている登録メッセージの簡単な修正によって、ユーザの快適性が損なわれることなく異なるアクセス技術に関するマルチモード通信端末装置の多重登録が実現される。
【００１６】
本発明による方法の別の有利な実施形態は従属請求項に記載されている。
【００１７】
以下では本発明による方法を実施例に基づき図面を参照しながら詳細に説明する。ここで、
図１は、本発明による方法を実施するために重要な通信システムの構成要素の例示的で概略的なブロック回路図を示す。
図２は、本発明による方法の個々のシグナリングステップの例示的な概略図を示す。
図３から図５は、本発明による登録方法の別の択一的な実施例を示す。
図１には、通信サービス、殊にマルチメディア通信サービスを提供するために必要とされる通信システムＫＳの個々の必要なネットワーク構成要素が例示的で概略的なブロック図で示されている。
【００１８】
ここでは例示的にモバイル通信ネットワークまたは集中通信ネットワークとして構成されている通信システムＫＳは少なくとも１つのサービス通信システムＩＭＳを有し、このサービス通信システムＩＭＳは第１のアクセスネットワークＷＬＡＮおよび第２のアクセスネットワークＧＰＲＳを介して、有利にはマルチモード通信端末装置ＭＫＥと接続可能である。
【００１９】
第１のアクセスネットワークＷＬＡＮおよび第２のアクセスネットワークＧＰＲＳはシグナリングコネクションを介してサービス通信システムＩＭＳと接続されている。アクセスネットワークＷＬＡＮ、ＧＰＲＳの数ならびに構成は第１のアクセスネットワークＷＬＡＮおよび第２のアクセスネットワークＧＰＲＳに制限されるものではない。これらのアクセスネットワークは単に例として挙げたものに過ぎず、したがって別の異なるアクセス技術、例えば（図面には示していない）ＣＤＭＡまたはＣＤＭＡ２０００、ＷｉＭＡＸ、ＤＳＬを用いる別のアクセスネットワークも勿論設けることができる。
【００２０】
この実施例においては、例として第１のアクセスネットワークＷＬＡＮおよび第２のアクセスネットワークＧＰＲＳの受信領域内に存在するマルチモード通信端末装置ＭＫＥは少なくとも２つの異なるアクセス技術、殊に「ワイヤレスローカルエリアネットワーク」（ＷＬＡＮ）技術および「汎用パケット無線サービス」（ＧＰＲＳ）技術をサポートする。これと同様に、第１のアクセスネットワークＷＬＡＮは「ワイヤレスローカルエリアネットワーク」（ＷＬＡＮ）として構成されており、また第２のアクセスネットワークＧＰＲＳは「汎用パケット無線サービス」アクセスネットワークＧＰＲＳとして構成されており、これらのアクセスネットワークは所属のＷＬＡＮコネクション制御ユニットＷＬＡＮ−ＳＵないしＧＰＲＳコネクション制御ユニットＧＰＲＳ−ＳＵをそれぞれ有する。
【００２１】
ＷＬＡＮコネクション制御ユニットＷＬＡＮ−ＳＵまたはＧＰＲＳコネクション制御ユニットＧＰＲＳ−ＳＵを介する制御により、それぞれ１つのＷＬＡＮ無線インタフェースＷＬＡＮ−ＳないしＧＰＲＳ無線インタフェースＧＰＲＳ−Ｓが少なくとも１つのマルチモード通信制御装置ＭＫＥを通信システムＫＳまたはそのサービス通信システムＩＭＳに接続するために提供される。ＷＬＡＮコネクション制御ユニットＷＬＡＮ−ＳＵまたはＧＰＲＳコネクション制御ユニットＧＰＲＳ−ＳＵを介して、それぞれの第１のアクセスネットワークＷＬＡＮまたは第２のアクセスネットワークＧＰＲＳ内のマルチモード通信端末装置ＭＫＥをアドレッシングするための第１のＩＰアドレスＩＰ１または第２のＩＰアドレスＩＰ２の割り当てが行われる。
【００２２】
サービス通信システムＩＭＳは有利には「ＩＰマルイチメディアコアネットワークサブシステム」（ＩＭＳ；IP Multimedia Core Network Subsystem）として構成されており、このサービス通信システムＩＭＳを以下ではＩＭＳを基礎とするサービス通信システムＩＭＳと称する。ＩＭＳを基礎とするサービス通信システムＩＭＳは、少なくとも３つのサービス制御ユニットＳ−ＣＳＣＦ、Ｉ−ＣＳＣＦ、Ｐ−ＣＳＣＦを備えた制御ユニットＣＳＣＦとこの制御ユニットＣＳＣＦと接続されている記憶ユニットＳＵとを有する。
【００２３】
この種のＩＭＳを基礎とするサービス通信システムＩＭＳにおいては、標準化された「セッション開始プロトコル」（ＳＩＰ；Session Initiation Protocol）」シグナリングプロトコルを介した通信サービスの確立が行われる。例えば、ＳＩＰシグナリングプロトコルにしたがい動作する第１のシグナリングコネクションＳＩＰ１または第２のシグナリングコネクションＳＩＰ２を介して、マルチモード通信端末装置ＭＫＥはＩＭＳを基礎とするサービス通信システムＩＭＳと接続されている。通信サービスの登録の過程において、第１のシグナリングコネクションＳＩＰ１または第２のシグナリングコネクションＳＩＰ２を介して、例えばマルチモード通信端末装置ＭＫＥの移動無線番号（ＭＳＩＳＤＮ）がＩＭＳを基礎とするサービス通信システムＩＭＳに伝送される。
【００２４】
ＩＭＳを基礎とするサービス通信システムＩＭＳのシグナリングタスクは制御ユニットＣＳＣＦによって行われ、この制御ユニットＣＳＣＦはこのために例えば「サービス呼セッション制御機能」（Ｓ−ＣＳＣＦ）ユニットＳ−ＣＳＣＦ、「問合せ呼セッション制御機能」（Ｉ−ＣＳＣＦ）ユニットＩ−ＣＳＣＦならびに「プロキシ呼セッション制御機能」（Ｐ−ＣＳＣＦ）ユニットＰ−ＣＳＣＦを有し、これらのユニットはそれぞれ相互に接続されている。
【００２５】
Ｓ−ＣＳＣＦユニットＳ−ＣＳＣＦはＩＭＳを基礎とするサービス通信システムＩＭＳ内の「ＳＩＰレジスタ」としてモバイル通信端末装置、殊にマルチモードモバイル通信端末装置ＭＫＥの登録に関する権限を有する。選択された通信サービスに関してマルチモード通信端末装置ＭＫＥを登録するために登録メッセージＲＥＧＩＳＴＥＲが形成され、ＳＩＰシグナリングプロトコルを介して、もしくは第１のシグナリングコネクションＳＩＰ１または第２のシグナリングコネクションＳＩＰ２を介してＳ−ＣＳＣＦユニットＳ−ＣＳＣＦユニットに伝送される。これによって、ＲＦＣ３２６１にしたがいＳ−ＣＳＣＦユニットＳ−ＣＳＣＦにおいてはマルチモード通信端末装置ＭＫＥに対応付けられているＳＩＰ−ＵＲＩとそのＩＰアドレス、例えば第１のＩＰアドレスＩＰ１および／または第２のＩＰアドレスＩＰ２とが関連付けられ、したがってＳＩＰ−ＵＲＩに基づき対応付けられたＩＰアドレスＩＰ１，ＩＰ２への通信サービスの伝送が保証される。
【００２６】
図２および図３には、ＩＭＳを基礎とするサービス通信システムＩＭＳにおけるマルチモード通信端末装置ＭＫＥに関する本発明による多重登録方法の登録に必要とされるユニットの例示的で概略的なブロック図が示されている。
【００２７】
マルチモード通信端末装置ＭＫＥの他に、Ｐ−ＣＳＣＦユニットＰ−ＣＳＣＦおよびＳＩＰレジスタとして機能するＳ−ＣＳＣＦユニットＳ−ＣＳＣＦが設けられており、これらは有利にはＳＩＰシグナリングプロトコルを介して接続されている。Ｐ−ＣＳＣＦユニットＰ−ＣＳＣＦはＳＩＰシグナリングプロトコルをサポートする任意のネットワークノードの例として挙げられている。
【００２８】
更なる説明のために、マルチモード通信端末装置ＭＫＥは第１のアクセスネットワークＷＬＡＮを介して通信サービスのためにＩＭＳを基礎とするサービス通信システムＩＭＳに既に登録されており、またこのマルチモード通信端末装置ＭＫＥには既に第１のアクセスネットワークＷＬＡＮによって第１のＩＰアドレスＩＰ１が割り当てられていたものとする。第１のＩＰアドレスＩＰ１は有利にはマルチモード通信端末装置ＭＫＥおよびＳ−ＣＳＣＦユニットＳ−ＣＳＣＦに記憶されている。
【００２９】
マルチモード通信端末装置ＭＫＥが第１のアクセスネットワークＷＬＡＮから第２のアクセスネットワークＧＰＲＳへの切り替えを行うと、マルチモード通信端末装置ＭＫＥには例えばＧＰＲＳコネクション制御ユニットＧＰＲＳ−ＳＵによって第２のＩＰアドレスＩＰ２が割り当てられる。これに続いて、例えばマルチモード通信端末装置ＭＫＥによって制御されて、ＳＩＰシグナリングプロトコルにしたがい実現される登録メッセージＲＥＧＩＳＴＥＲが形成される。
【００３０】
本発明によれば、例えば登録メッセージＲＥＧＩＳＴＥＲにはアクセスネットワーク識別子ＺＫが設けられており、またこのアクセスネットワーク識別子ＺＫを有する登録メッセージＲＥＧＩＳＴＥＲは、ＩＭＳを基礎とするサービス通信システムＩＭＳの少なくとも１つの制御ユニットＣＳＣＦまたはＳＩＰ登録に関する権限を有するＳ−ＣＳＣＦユニットＳ−ＣＳＣＦに伝送される。続いて、Ｓ−ＣＳＣＦユニットＳ−ＣＳＣＦにおいてアクセスネットワーク識別子ＺＫが登録メッセージＲＥＧＩＳＴＥＲから読み出され評価される。すなわち登録メッセージＲＥＧＩＳＴＥＲ内にアクセスネットワーク識別子ＺＫは存在するか否かが検査される。
【００３１】
評価結果に依存して、すなわちアクセスネットワーク識別子ＺＫが存在するか否かに依存して、マルチモード通信端末装置ＭＫＥの別の登録がＩＭＳを基礎とするサービス通信システムＩＭＳにおけるＳ−ＣＳＣＦユニットＳ−ＣＳＣＦによって行われるか、マルチモード通信端末装置ＭＫＥの既存の登録が新たな登録に置換される。例えば、図２に示されているように、第１のアクセスネットワークＷＬＡＮに関する登録が既に行われており、また第２のアクセスネットワークＧＰＲＳに関する登録要求のアクセスネットワーク識別子ＺＫの評価により別の登録が可能であることが判明すると、マルチモード通信端末装置ＭＫＥが第２のアクセスネットワークＧＰＲＳに関しても登録され、この割り当てられた第２のＩＰアドレスＩＰ２が第１のＩＰアドレスＩＰ１に付加的に記憶される。しかしながら評価によりマルチモード通信端末装置の多重登録が不可能であることが判明すると、第１のＩＰアドレスＩＰ１が第２のＩＰアドレスに置換され、既存の登録が消去される。
【００３２】
有利な実施形態においては、マルチモード通信端末装置ＭＫＥに既に割り当てられている第１のＩＰアドレスＩＰ１および／または第２のＩＰアドレスＩＰ２がアクセスネットワーク識別子ＺＫとして伝送されるか、このアクセスネットワーク識別子ＺＫに付加的に登録メッセージＲＥＧＩＳＴＥＲにおいて伝送される。
【００３３】
本発明による方法の第１のヴァリエーションでは、マルチモード通信端末装置ＭＫＥにおいてアクセスネットワーク識別子ＺＫが形成され、登録メッセージＲＥＧＩＳＴＥＲ内に挿入され、この登録メッセージＲＥＧＩＳＴＥＲにおいてマルチモード通信端末装置ＭＫＥからＰ−ＣＳＣＦユニットＰ−ＣＳＣＦを介してＳ−ＣＳＣＦユニットＳ−ＣＳＣＦに伝送される。
【００３４】
制御ユニットＣＳＣＦまたはＳ−ＣＳＣＦユニットＳ−ＣＳＣＦによって登録メッセージＲＥＧＩＳＴＥＲからアクセスネットワーク識別子ＺＫが読み出される。ここではアクセスネットワーク識別子ＺＫが、目下存在する第１のアクセスネットワークＷＬＡＮに関する登録がさらに存続することを示す。第１のアクセスネットワークＷＬＡＮによってマルチモード通信端末装置ＭＫＥに目下割り当てられており、例えば一緒に伝送されるＩＰアドレスＩＰ１はさらに存続する。
【００３５】
したがって、第２のアクセスネットワークＧＰＲＳに関するマルチモード通信端末装置ＭＫＥの別の登録の枠内ではＳ−ＣＳＣＦユニットＳ−ＣＳＣＦによって第２のＩＰアドレスＩＰ２が記憶され、ＩＭＳを基礎とするサービス通信システムＩＭＳにおける既存の登録がさらに維持される。マルチモード通信端末装置ＭＫＥは登録が成功した後に、今まさに自身が存在しているアクセスネットワークＷＬＡＮ、ＧＰＲＳに依存して、第１のＩＰアドレスＩＰ１または第２のＩＰアドレスＩＰ２を介して所属の通信サービスを要求することができる。
【００３６】
アクセスネットワーク識別子ＺＫを例えば登録メッセージＲＥＧＩＳＴＥＲのヘッダに挿入することができるか、付加的なパラメータとして登録メッセージＲＥＧＩＳＴＥＲに添付することができる。
【００３７】
アクセスネットワーク識別子ＺＫが存在しない場合には、ＩＭＳを基礎とするサービス通信システムＩＭＳにおけるマルチモード通信端末装置ＭＫＥに関する既存の全ての登録、また必要に応じてＳ−ＣＳＣＦユニットＳ−ＣＳＣＦ内に記憶されているそのマルチモード通信端末装置の第１のＩＰアドレスＩＰ１も消去され、第２のアクセスネットワークＧＰＲＳに関する新たな登録が行われる。第２のアクセスネットワークＧＰＲＳによって割り当てられた第２のＩＰアドレスＩＰ２はやはりＳ−ＣＳＣＦユニットＳ−ＣＳＣＦに記憶される。
【００３８】
通信システムＫＳのネットワークエレメントは端末装置側においてもネットワーク側においても、別の登録を生じさせ、評価し、また設定するために必要な調整を行うことができるようにコンフィギュレートされている。
【００３９】
本発明による方法の第２のヴァリエーションにおいては、複数のアクセスネットワーク、例えば第１のアクセスネットワークＷＬＡＮおよび第２のアクセスネットワークＧＰＲＳの異なるアクセス技術に基づき、アクセスネットワーク識別子ＺＫが技術指向のアクセスネットワーク識別子ＺＫ*、ＺＫ**として構成されている。すなわち技術指向のアクセスネットワーク識別子ＺＫ*，ＺＫ**がそれぞれ新たな登録の基礎をなすアクセス技術を表す。
【００４０】
技術指向のアクセスネットワーク識別子ＺＫ*，ＺＫ**は図３のようにマルチモード通信端末装置ＭＫＥにおいて形成され、この通信端末装置ＭＫＥによって登録メッセージＲＥＧＩＳＴＥＲに挿入されるか、図４のようにＳＩＰシグナリングプロトコルをサポートする別のネットワークノードによって、例えばＰ−ＣＳＣＦユニットＰ−ＣＳＣＦによって形成され、登録メッセージＲＥＧＩＳＴＥＲに挿入される。このネットワークノードは第１のアクセスネットワークＷＬＡＮまたは第２のアクセスネットワークＧＰＲＳのそれぞれのアクセス技術をサポートする。それぞれのアクセス技術に関して別個に構成されているネットワークノードまたはＰ−ＣＳＣＦユニットＰ−ＣＳＣＦが設けられている。
【００４１】
したがって技術指向のアクセスネットワーク識別子ＺＫ*，ＺＫ**は、マルチモード通信端末装置ＭＫＥがＩＭＳを基礎とするサービス通信システムＩＭＳにおいて別の登録を要求するアクセス技術または所属のアクセスネットワークＷＬＡＮ、ＧＰＲＳを表す。
【００４２】
登録メッセージＲＥＧＩＳＴＥＲにおいて伝送された技術指向のアクセスネットワーク識別子ＺＫ*，ＺＫ**がＳ−ＣＳＣＦユニットＳ−ＣＳＣＦによって読み出されて評価される。評価の枠内において、殊にＳ−ＣＳＣＦユニットＳ−ＣＳＣＦによって、どのアクセス技術または所属のどのアクセスネットワークＷＬＡＮ、ＧＰＲＳに関して既に登録が存在するかが検査される。
【００４３】
求められたアクセス技術に関して既に登録が存在する場合には、既存の登録が新たな登録に置換される。異なるアクセス技術が求められると、Ｓ−ＣＳＣＦユニットＳ−ＣＳＣＦによって、求められたアクセス技術に関するマルチモード通信端末装置ＭＫＥの別の登録が行われる。
【００４４】
本発明による方法の第３のヴァリエーションでは、Ｓ−ＣＳＣＦユニットＳ−ＣＳＣＦにおいて、登録メッセージＲＥＧＩＳＴＥＲに設けられている情報、例えば伝送されたＩＰアドレスＩＰ１，ＩＰ２のうちの１つからアクセス技術が導出される。例えば、通信システムＫＳにおいて各アクセス技術または第１のアクセスネットワークＷＬＡＮおよび第２のアクセスネットワークＧＰＲＳに例えば所定のＩＰアドレス領域を対応付けることができる。例えば、第１のアクセスネットワークＷＬＡＮを介して登録されたマルチモードの通信端末装置ＭＫＥには、１４０．１１９．ｘｘｘ．ｘｘｘの形式の第１のＩＰアドレスＩＰ１が割り当てられ、また第２のアクセスネットワークＷＬＡＮを介して登録されたマルチモード通信端末装置ＭＫＥには１３９．１２３．ｘｘｘ．ｘｘｘの形式の第２のＩＰアドレスＩＰ２が対応付けられる。２つのＩＰアドレスＩＰ１，ＩＰ２のうちの少なくとも１つが、登録メッセージＲＥＧＩＳＴＥＲを介してアクセスネットワーク識別子ＺＫ（ＩＰ１，ＩＰ２）として伝送され、Ｓ−ＣＳＣＦユニットＳ−ＣＳＣＦにおいて読み出される。
【００４５】
Ｓ−ＣＳＣＦユニットＳ−ＣＳＣＦは登録メッセージＲＥＧＩＳＴＥＲにおいて伝送された第１のＩＰアドレスＩＰ１および／または第２のＩＰアドレスＩＰ２を評価し、その評価に基づき登録が目下所望されているアクセス技術を求めるか、既に登録が行われているアクセス技術を求める。前述の第２のヴァリエーションと同様に、評価結果に依存してＳ−ＣＳＣＦユニットＳ−ＣＳＣＦによって別の登録が行われるか、既存の登録が新たな登録に置換される。
【００４６】
付加的に、登録メッセージＲＥＧＩＳＴＥＲのさらに別の要素、例えばヘッダ全体または個々のヘッダ要素をアクセス技術を求めるためにＳ−ＣＳＣＦユニットＳ−ＣＳＣＦによって評価することができる。
【００４７】
上記においては本発明を実施例について説明した。本発明が基礎とする思想から逸脱することなく、多数の変更ならびにヴァリエーションが可能であると解される。
【図面の簡単な説明】
【００４８】
【図１】本発明による方法を実施するために重要な通信システムの構成要素の例示的で概略的なブロック回路図を示す。
【図２】本発明による方法の個々のシグナリングステップの例示的な概略図を示す。
【図３】本発明による登録方法の別の択一的な実施例を示す。
【図４】本発明による登録方法の別の択一的な実施例を示す。
【図５】本発明による登録方法の別の択一的な実施例を示す。
【符号の説明】
【００４９】
ＣＳＣＦ  制御ユニット、  ＧＰＲＳ  第２のアクセスネットワーク、  ＧＰＲＳ−Ｓ  ＧＰＲＳエアインタフェース、  ＧＰＲＳ−ＳＵ  ＧＰＲＳコネクション制御ユニット、  Ｉ−ＣＳＣＦ  問合せ呼セッション制御機能ユニット、  ＩＭＳ  サービス通信システム、  ＩＰ１  第１のＩＰアドレス、  ＩＰ２  第２のＩＰアドレス、  ＫＳ  モバイル通信システムまたは集中通信システム、  ＭＫＥ  マルチモード通信端末装置、  Ｐ−ＣＳＣＦ  プロキシ呼セッション制御機能ユニット、  ＲＥＧＩＳＴＥＲ  登録メッセージ、  Ｓ−ＣＳＣＦ  サービス呼セッション制御機能ユニット、  ＳＩＰ  セッション開始プロトコルシグナリングプロトコル、  ＳＩＰ１  第１のシグナリングコネクション、  ＳＩＰ２  第２のシグナリングコネクション、  ＳＵ  記憶ユニット、  ＷＬＡＮ  第１のアクセスネットワーク、  ＷＬＡＮ−Ｓ  ＷＬＡＮエアインタフェース、  ＷＬＡＮ−ＳＵ  ＷＬＡＮコネクション制御ユニット、  ＺＫ  アクセスネットワーク識別子、  ＺＫ*，ＺＫ**  技術指向のアクセスネットワーク識別子
【図１】
2009540641.tif 000003
【図２】
2009540641.tif 000004
【図３】
2009540641.tif 000005
【図４】
2009540641.tif 000006
【図５】
2009540641.tif 000007
【国際調査報告】
2009540641.tif 000008
2009540641.tif 000009
2009540641.tif 000010
2009540641.tif 000011